(57)【要約】【課題】  容器に収納した古新聞、古雑誌等を容易に結束ができ、容易に取出しができ、容器ごと移動ができる、紐通し溝付収納容器を提供する。【解決手段】  台車の上面に受け台を複数個設け、結束紐固定溝を有する脱落防止ガイドを複数個設け、受け台に、脱落防止ガイドを抜き差し出来る脱着溝を設け、受け台で構成される紐通し溝を設け、紐通し溝の底面に中心を示す目印を設け、台車下面に車輪を設けたことを特徴とする紐通し溝付収納容器である。【選択図】図１
2011037513.tif 000002
【特許請求の範囲】
【請求項１】
台車上面に複数の受け台を設け、複数の受け台で構成された、縦及び横方向に複数の結束紐通し溝を設け、複数の受け台に脱着可能な脱落防止ガイドを設けたことを特徴とする紐通し溝付収納容器。
【請求項２】
自由形状の平板の中央に紐通し孔を設け、紐通し孔の外周から放射状に複数のスリット溝を設け、各々のスリット溝の先端に結束紐滑り止め孔を設けたことを特徴とする結束補助具。
【発明の詳細な説明】
【技術分野】
【０００１】  本発明は、自由形状の平板の中央に紐通し孔を設け、紐通し孔の外周から放射状に複数のスリット溝を設け、各々のスリット溝の先端に結束紐滑り止め孔を設けた結束補助具と、台車上面に複数の受け台を設け、複数の受け台で構成された複数の紐通し溝と、結束紐固定溝を有する複数の脱落防止ガイドと、複数の受け台に脱落防止ガイドが脱着可能な脱着溝を設け、台車下面に複数の車輪を設けた、古新聞紙や古雑誌などの紐通し溝付収納容器に関するものである。
【背景技術】
【０００２】  従来、一般家庭においては古新聞紙や古雑誌などは、ダンボウル箱や、プラスチック等で造られた箱型容器に収納し、結束紐で結束するときは、一度、箱型容器から取出して結束していた。
【発明の開示】
【発明が解決しようとする課題】
【０００３】  そのために、次のような問題点が生じていた。
ダンボウル箱や、プラスチック等で造られた箱型容器に収納された古新聞紙や古雑誌などを、結束紐などで結束する時は、一度、箱型容器内から取り出して結束していた。又、体の不自由な人や高齢者は力が弱く、収納された古新聞紙や古雑誌などを、一度、箱型容器から取出して結束するのは大変な作業であった。又、結束しても最適な結束状態が容易に得られず、持ち運ぶ時に結束された古新聞紙や古雑誌などが脱落し、再度結束をしなければならなかった。本発明は、以上の問題点を解決したものである。
【課題を解決するための手段】
【０００４】  上記問題点を解決するため、本発明は、自由形状の平板のほぼ中心に結束紐の結束部が通過出来る紐通し孔を設け、紐通し孔の外周から放射状にのびた複数のスリット溝を設け、各々のスリット溝の先端に結束紐滑り止め孔を設けた結束補助具と、結束紐固定溝を有する複数の脱落防止ガイドと、台車上面に複数の受け台を設け、各々の受け台に脱落防止ガイドが脱着可能な脱着溝を設け、複数の受け台で構成された縦及び横方向に結束紐を通すための複数の紐通し溝を設け、紐通し溝の中心を示す目印を複数の紐通し溝の下面に設け、台車下面に複数の車輪を取り付ける。以上の構成からなる古新聞紙や古雑誌などの、紐通し溝付収納容器である。
【発明の効果】
【０００５】  したがって、紐通し溝付収納容器内に収納された古新聞紙や古雑誌などを取り出すことなく、紐通し溝に結束紐を通して結束ができ、又、古新聞紙や古雑誌などを、紐通し溝付収納容器内に収納する事前に、結束紐のほぼ中央を結束紐固定溝に固定し紐通し溝にセットすることにより、結束紐は移動することなく正しくセットされ、古新聞紙や古雑誌などを結束ができ、かつ、結束補助具を用いることにより、体の不自由な人や高齢者においても容易に結束することができ、結束された古新聞紙や古雑誌等は、紐通し溝付収納容器ごと移動することができ、任意の脱落防止ガイドを取り外すことにより、紐通し溝付収納陽気から容易に取り出すことができるようになった。
【発明を実施するための最良の形態】
【０００６】  以下、本発明を実施するための最良の形態について説明する。図１に紐通し溝付収納容器の全体の概略斜視図を示す。図２に紐通し溝付収納容器の分離概略斜視図を示す。図３に結束補助具の概略斜視図を示す。【０００７】  図４、図５、図６、図７、に本発明に係る紐通し溝付収納容器の実施形態の概略斜視図を示す。図１に於いて、自由形状の結束紐固定溝７を有する脱落防止ガイド６を複数個設け、台車８の上面に受け台３を複数個設け、各々の受け台３に脱落防止ガイド６を抜き差し出来る脱着溝５を複数個設け、複数個の受け台３で構成される、縦及び横方向に複数個の紐通し溝１を設け、各々の紐通し溝１の底面に、紐通し溝１の中心を示す目印２を設け、台車８下面に複数個の車輪４を設け、図３に於いて自由形状の平板１４のほぼ中心に結束紐の結束部が通過出来る紐通し孔１１を設け、紐通し孔１１の外周から放射状にのびた複数のスリット溝１２を設け、各々のスリット溝１２の先端に結束紐滑り止め孔１３を有する結束補助具１５を設ける。本発明は以上の構成からなる、古新聞紙や古雑誌１０などを収納した状態で結束が可能な、紐通し溝付収納容器である。【０００８】  以下、使用法について説明する。台車８上面の、複数の受台３に設けた、脱落防止ガイド溝５に、結束紐固定溝７を有する複数の脱落防止ガイド６を挿入した、紐通し溝付収納容器内に、図６に示すように、古新聞紙や古雑誌１０等を紐通し溝付収納容器内に収納後、結束する時は、結束紐９を縦横に設けた紐通し溝１の空洞の中に各々通し、反対方向から出てきた各々の結束紐９の両端を持って結束する。又、体の不自由な人や高齢者においては、図７に示すように紐結束補助具１５を用いることにより、容易に最適な結束状態を作り出す事が出来る。【０００９】  結束補助具１５を用いた結束紐での結束の仕方を説明する。図３に示す弾性のある材料（ポリプロピレン等）で出来た、結束補助具１５を紐通し溝付収納容器内に収納された古新聞紙や古雑誌１０の上部ほぼ中央に置き、縦横に設けた、各々の紐通し溝１に通した各々の結束紐９の両先端を、結束補助具１５の下面側から紐通し孔１１に通し結束紐９の両端を持ち、スリット溝１２を通り結束紐滑り止め孔１３まで、古新聞や古雑誌１０などを締め付けるように移動させる。この時、結束補助具は弾性のある材料（ポリプロピレン等）で造られている為、スリット溝１２のスリット幅より直径の大なる結束紐でも、容易に結束紐は、スリット溝１２を押し広げ、結束紐滑り止め孔１３まで移動することが出来き、結束紐滑り止め孔１３と結束紐９の摩擦抵抗により、結束紐９は締め付けた位置で固定される。この状態に於いて、結束紐９の両端を持って結束することにより最適な結束状態が容易に出来る。結束後は、結束補助具１５を上方向に持ち上げることにより、結束部位は紐通し孔１１を通過し、結束補助具１５を取り外すことが出来る。【００１０】  図４に示すように、脱落防止ガイド溝５に設けた結束紐固定溝７を併用した、紐通し溝１に結束紐９をセット後の結束の仕方を説明する。古新聞紙や古雑誌１０などを、紐通し溝付収納容器内に収納する以前に、結束紐固定溝７に結束紐９のほぼ中央を固定し紐通し溝１に結束紐９を縦およ��横方向にセット後、図５に示すように、古新聞紙や古雑誌１０などを紐通し溝付収納容器内に収納し、結束紐固定溝７で固定された部位の結束紐９を、矢印中心方向に引き出し、結束紐９の片方の先端を、中心まで引き出された結束紐と交差させ紐通し溝１の中心を示す目印２に結束紐９の下部を合わせて結束紐９の両端を持って結束することにより、古新聞紙や古雑誌１０などは、縦横のほぼ中心位置で結束が容易にできる。【００１１】  結束された古新聞紙や古雑誌１０などを紐通し溝付収納容器より取り出す時は、任意の脱落防止ガイド６を取り外す事により、結束された古新聞紙や古雑誌１０などを脱落防止ガイド６の上部まで持ち上げることなく、紐通し溝付収納容器から容易に取り出すことができる。【００１２】  脱落防止ガイド６と受け台３を一体化しても結束の作業性は変わらないが、体の不自由な人や高齢者が、結束された古新聞紙や古雑誌１０などを、紐通し溝付収納容器から容易に取り出すことが出来るように、脱落防止ガイド６の脱着方式を採用した。【００１３】  紐通し溝付収納容器内で結束された古新聞紙や古雑誌１０などは、台車８下部の車輪４の作用により、紐通し溝付収納容器ごと容易に移動する事できる。【００１４】  ポリプロピレン、ポリエステル，ＡＢＳ，ＰＭＭＡ、ポリカ−ボネート、ポリアセタ−ルといった周知の樹脂が用いられるが、コストおよび成形性の点からポリプロピレンがより好ましい。
【産業上の利用可能性】  上述の発明は、新聞紙や古雑誌などを収納した状態で結束ができ、かつ、移動ができる紐通し溝付収納容器として利用可能である。
【図面の簡単な説明】
【図１】  本発明に係わる紐通し溝付収納容器全体の概略斜視図である。
【図２】  本発明に係わる紐通し溝付収納容器の分離概略斜視図である。
【図３】  本発明に係わる結束補助具の概略斜視図である。
【図４】  本発明に係わる紐通し溝付収納容器の結束紐のセット状態を示す概略斜視図である。
【図５】  本発明に係わる紐通し溝付収納容器の図４にかかわる結束の状態を示す概略斜視図である。
【図６】  本発明に係わる紐通し溝付収納容器の結束の状態を示す概略斜視図である。
【図７】  本発明に係わる結束補助具の使用状態を示す概略斜視図である。
【符号の説明】１    紐通し溝
２    目印
３    受け台
４    車輪
５    脱着溝
６    脱落防止ガイド
７    結束紐固定溝
８    台車
９    結束紐
１０    古新聞紙や古雑誌等
１１    紐通し孔
１２    スリット溝
１３    結束紐滑り止め孔
１４    平板
１５    結束補助具
【図１】
2011037513.tif 000003
【図２】
2011037513.tif 000004
【図３】
2011037513.tif 000005
【図４】
2011037513.tif 000006
【図５】
2011037513.tif 000007
【図６】
2011037513.tif 000008
【図７】
2011037513.tif 000009